(57)【要約】【課題】本発明は、例えば、同軸コネクタにおける中心コンタクトの回転止め構造に係り、同軸コネクタにおける中心コンタクトが軸心廻りに回転するのを阻止し、同軸ケーブルの中心導体のねじ切れを防止することが課題である。【解決手段】同軸ケーブルの中心導体を中心コンタクトの中心孔部に挿通するとともに該中心孔部から半径方向外側に連通する半田流入孔から半田を流し込んで中心コンタクトに前記中心導体を半田付けし、当該中心コンタクトと前記同軸ケーブルとをシェルに内包された絶縁体の中心貫通孔に挿入してなる同軸コネクタにおいて、前記中心コンタクト４の半田流入孔４ｂにピン頭部９ａを外部に突出させたピン９が固着され、前記ピン９を有した中心コンタクト４が前記絶縁体８の中心貫通孔に圧入されて当該ピンの頭部９ａが絶縁体８に食い込み固定されている同軸コネクタ１における中心コンタクトの回転止め構造とする。【選択図】  図１
2004356007.tif 000002
【特許請求の範囲】
【請求項１】
同軸ケーブルの中心導体を中心コンタクトの中心孔部に挿通するとともに該中心孔部から半径方向外側に連通する半田流入孔から半田を流し込んで中心コンタクトに前記中心導体を半田付けし、当該中心コンタクトと前記同軸ケーブルとをシェルに内包された絶縁体の中心貫通孔に挿入してなる同軸コネクタにおいて、
前記中心コンタクトの半田流入孔にピン頭部を外部に突出させたピンが固着され、
前記ピンを有した中心コンタクトが前記絶縁体の中心貫通孔に圧入されて当該ピンの頭部が絶縁体に食い込み固定されていること、
を特徴とする同軸コネクタにおける中心コンタクトの回転止め構造。
【発明の詳細な説明】
【０００１】
【発明の属する技術分野】
本発明は、同軸コネクタにおける中心コンタクトの回転止め構造に係り、詳しくは、同軸コネクタにおける中心コンタクトと同軸ケーブルの中心導体とを半田付けしただけでは、中心コンタクトが軸心廻りに回転してしまうので、それを防止する回転止め構造に関する。
【０００２】
【従来の技術】
従来において、同軸用レセプタクル若しくは同軸用プラグにおける、中心コンタクトと同軸ケーブルの中心導体との接続は、例えば、図３に示すように、中心コンタクト４に、被覆部２ａや編組線１０、絶縁体２ｂを剥がした中心導体３を嵌合させて、半田流入孔４ｂから半田を流し込んで半田付けする。この中心コンタクト４には、その後方に絶縁体５が圧入され、更に、その絶縁体５の後方に中子６が回転自在に支持されて、組立られている。
【０００３】
そして、図４に示すように、前記中心コンタクト４をシェル７の絶縁体８に嵌合させ、編組線１０を中子６に半田付けし、この中子６をカシメて固定している同軸コネクタ１１が知られている（例えば、特許文献１参照。）。
【０００４】
【特許文献１】
特開平１０−１７２６８０号公報（第１−３頁、第１図乃至第４図）
【０００５】
【発明が解決しようとする課題】
しかしながら、上記の固定方法では、中心コンタクト４が中心導体３との半田付けで固定されているだけであり、中心コンタクト４の後方の絶縁体５は圧入されているが、この絶縁体５と中子６とは回転自在に組み立てられている。
よって、コネクタの内部の絶縁体８と中心コンタクト４とが固定されず、同軸ケーブル２の中心導体３の強度だけで、中心コンタクト４の回転移動及び抜け移動しないように、固定している。そこで、中心導体３の直径が細い場合には、強度が低下して、相手方のプラグが装着された際に、ねじ込み作用で軸心廻りに中心コンタクト４が回転されてしまい、中心導体３がネジ切れるおそれがある。本発明に係る同軸コネクタにおける中心コンタクトの回転止め構造はこのような課題を解決するために提案されたものである。
【０００６】
【課題を解決するための手段】
上記課題を解決するために、本発明に係る同軸コネクタにおける中心コンタクトの回転止め構造の要旨は、同軸ケーブルの中心導体を中心コンタクトの中心孔部に挿通するとともに該中心孔部から半径方向外側に連通する半田流入孔から半田を流し込んで中心コンタクトに前記中心導体を半田付けし、当該中心コンタクトと前記同軸ケーブルとをシェルに内包された絶縁体の中心貫通孔に挿入してなる同軸コネクタにおいて、前記中心コンタクトの半田流入孔にピン頭部を外部に突出させたピンが固着され、前記ピンを有した中心コンタクトが前記絶縁体の中心貫通孔に圧入されて当該ピンの頭部が絶縁体に食い込み固定されていることである。
【０００７】
前記本発明に係る同軸コネクタにおける中心コンタクトの回転止め構造によれば、中心コンタクトから突出したピンの頭部が、シュル側の絶縁体に圧入されて食い込み、中心コンタクトが軸心回りに回転するのが防止され、同時に、抜け防止となる。これにより、中心コンタクトが回転することによる中心導体のねじ切れが防止される。
【０００８】
【発明の実施の形態】
次に、本発明に係る同軸コネクタにおける中心コンタクトの回転止め構造について、図面を参照して説明する。なお、発明の理解を容易にするため、従来例に対応する部分には従来例と同一の符号を付けて説明する。
【０００９】
図１に示すように、本発明に係る同軸コネクタ１は、同軸ケーブル２の中心導体３を金属製導体である中心コンタクト４の中心孔部４ａに挿通するとともに、該中心孔部４ａから半径方向外側に連通する半田流入孔４ｂから半田を流し込んで、中心コンタクト４に前記中心導体３を半田付けする。前記中心コンタクト４の半田流入孔４ｂに、ピン頭部９ａを外部に突出させた金属製のピン９を、半田付けにより固着する。前記ピン頭部９の突出量は、例えば、０．２ｍｍ程度である。
【００１０】
前記中心コンタクト４は、先端部側に相手方同軸プラグのコンタクト嵌合用の孔４ｃが設けられ、後端部側には筒状の絶縁体５が装着され、該絶縁体５の後部に中子６がストッパー６ａを介して取り付けられている。
【００１１】
次に、図２（Ａ）に示すように、前記中心コンタクト４と、これに中心導体３が半田付けされた前記同軸ケーブル２とを、シェル７の前方側に開口された貫通孔に内包された絶縁体８の中心貫通孔８ａに対して、その後方から挿入するとともに圧入して、図２（Ｂ）に示すように、同軸コネクタ１が構成される。
【００１２】
前記ピン９を有した中心コンタクト４が、前記絶縁体８の中心貫通孔８ａに圧入されて、当該ピン９の頭部９ａが絶縁体８に食い込み固定されている。その後、図２（Ｂ）に示すように、シェル７の後部筒部７ａと中子６とをカシメる。この中子６がカシメられて、同軸ケーブル２の編組線１０との間で電気的導通を図るようにする。
【００１３】
このように形成した同軸コネクタ１を使用すれば、例えば、電子機器の框体等に固定された前記同軸コネクタ１に、他の同軸ケーブルプラグがシェル７のねじ部７ｂに螺装され、そのプラグの雄コンタクトが中心コンタクト４の孔４ｃに嵌合する際に押し込まれつつ回転等して、その周方向の摩擦抵抗で前記中心コンタクト４が回転されそうになる。しかし、半田流入孔４ｂから突出して絶縁体８に食い込んでいる前記ピン９によって、該中心コンタクト４の軸心廻りの回転が阻止される。よって、中心導体３がねじ切られることがない。
【００１４】
このように、中心コンタクト４の回転が阻止されることで、同軸ケーブル２の中心導体３の直径が細くても、ねじ切られるような不都合が解消されるものである。また、中心コンタクト４側にピン９を追加するだけで良く、シェル７の絶縁体８に特別な加工は不要である。よって、既存のシェル７に直ちに適用することができる。
【００１５】
【発明の効果】
上記説明したように、本発明に係る同軸コネクタにおける中心コンタクトの回転止め構造は、同軸ケーブルの中心導体を中心コンタクトの中心孔部に挿通するとともに該中心孔部から半径方向外側に連通する半田流入孔から半田を流し込んで中心コンタクトに前記中心導体を半田付けし、当該中心コンタクトと前記同軸ケーブルとをシェルに内包された絶縁体の中心貫通孔に挿入してなる同軸コネクタにおいて、前記中心コンタクトの半田流入孔にピン頭部を外部に突出させたピンが固着され、前記ピンを有した中心コンタクトが前記絶縁体の中心貫通孔に圧入されて当該ピンの頭部が絶縁体に食い込み固定されているので、中心コンタクトの回転が阻止されて、同軸ケーブルの中心導体がねじ切られることがないと言う優れた効果を奏するものである。
【図面の簡単な説明】
【図１】本発明に係る同軸コネクタ１における、中心コンタクト４の回転止め構造を示す半断面図である。
【図２】同本発明に係る同軸コネクタ１の組立を説明する説明図（Ａ）と、組立後の同軸コネクタ１の半断面図（Ｂ）である。
【図３】従来例に係る同軸コネクタ１１における、中心コンタクト４の組立を示す説明図（Ａ）、同組立後の半断面図（Ｂ）である。
【図４】同従来例に係る同軸コネクタ１１の組立を説明する説明図（Ａ）と、組立後の同軸コネクタ１１の半断面図（Ｂ）である。
【符号の説明】
１        同軸コネクタ、        ２          同軸ケーブル、
２ａ      被覆部、              ２ｂ        絶縁体、
３        中心導体、            ４          中心コンタクト、
４ａ      中心孔部、            ４ｂ        半田流入孔、
４ｃ      孔、                  ５          絶縁体、
６        中子、                ６ａ        ストッパー、
７        シェル、              ７ａ        後部筒部、
８        絶縁体、              ８ａ        中心貫通孔、
９        ピン、                ９ａ        ピン頭部、
１０      編組線、              １１        従来例の同軸コネクタ。
【図１】
2004356007.tif 000003
【図２】
2004356007.tif 000004
【図３】
2004356007.tif 000005
【図４】
2004356007.tif 000006